(57)【特許請求の範囲】
【請求項１】
差し込み接続型の機器接続用コネクタを備え、一端に前記機器接続用コネクタに接続される機器側コネクタが設けられた小型情報機器を、その機器側コネクタを前記機器接続用コネクタに接続させて支持する接続台において、
ベース部上に、下端から上端に向かって後側に傾斜するガイド面とその両側にそれぞれ形成されたガイド壁とからなる機器ガイド部が設けられ、前記ベース部の上面の前記ガイド面の前側の部分にコネクタ突き出し口が設けられた台本体の前記ベース部内に、主配線基板と、前記主配線基板にフレキシブルリードを介して接続された副配線基板とが設けられ、前記副配線基板が、前記コネクタ突き出し口の下側に、前記ベース部の幅方向に沿わせて、前記ベース部の内底面に対して立ち上がった姿勢で配置されるとともに、その下縁を前記ベース部の内底面上に設けられた副配線基板受け部により前後方向に移動可能に抱えられ、上縁側を弾性部材の弾力により、前記ベース部内に前記コネクタ突き出し口の後側縁に沿わせて設けられたストッパに押圧されて前後方向に傾動可能に支持されており、前記機器接続用コネクタが、その先端部を前記コネクタ突き出し口から前記ベース部上に突出させて前記副配線基板の前面に固定されて前記先端部が前記ガイド面に対して接離する方向に傾動可能に設けられ、この機器接続用コネクタが前記弾性部材の弾力により、その先端が、前記機器側コネクタを下に向け背面および両側面を前記ガイド面およびガイド壁により案内されて上方から下げ降される前記小型情報機器の前記機器側コネクタの先端に対向する姿勢に保持されていることを特徴とする小型情報機器の接続台。
【請求項２】
機器ガイド部の両側のガイド壁の下端付近の内側面に、上方から下げ降される小型情報機器の下端部を、その下端部の背面を前記機器ガイド部のガイド面に押し付けるように誘導する誘導突起が設けられていることを特徴とする請求項１に記載の小型情報機器の接続台。
【請求項３】
ストッパは、機器ガイド部のガイド面と実質的に同じ角度で傾斜する板状ストッパであり、機器接続用コネクタは、副配線基板の前面に、この副配線基板の後面が前記板状ストッパに対して平行に接面したときに、背面および両側面を前記機器ガイド部のガイド面およびガイド壁により案内されて下げ降される小型情報機器の機器側コネクタの先端に前記機器接続用コネクタの先端が対向するように固定されていることを特徴とする請求項１に記載の小型情報機器の接続台。
【請求項４】
副配線基板をストッパに押圧する弾性部材はコイルばねであり、このコイルばねが、ベース部の前面板に前記ベース部内に突出させて設けられた筒状部内に挿入されるとともに、その一端を前記副配線基板の前面に当接され、他端を前記ベース部の前面に装着された前面カバーにより受け止められて、これらの間に圧縮状態で挟持されていることを特徴とする請求項１に記載の小型情報機器の接続台。
【請求項５】
ベース部の内底面上に、副配線基板の前面に固定された機器接続用コネクタの基端を前後方向に移動可能に支持する凸部が設けられていることを特徴とする請求項１に記載の小型情報機器の接続台。
【発明の詳細な説明】
【０００１】
【発明の属する技術分野】
この発明は小型情報機器の接続台に関するものである。
【０００２】
【従来の技術】
パーソナルコンピュータ（以下、パソコンと略称する）に、携帯端末機器、デジタルカメラ、携帯音響機器等の小型情報機器を簡単に接続するための器具として、差し込み接続型の機器接続用コネクタを備え、一端に前記機器接続用コネクタに接続される機器側コネクタが設けられた小型情報機器を、その機器側コネクタを前記機器接続用コネクタに接続させて支持する接続台がある。
【０００３】
図７は従来の接続台の側面図であり、この接続台１は、内部に機器接続回路を収容したベース部３上に、下端から上端に向かって後側に傾斜する機器ガイド部４が設けられた台本体２の前記ベース部３内に、差し込み接続型の機器接続用コネクタ５を、機器側コネクタの先端部を前記ベース部３上に突出させて固定した構成となっている。
【０００４】
なお、図７では前記台本体１の機器ガイド部４を簡略化して示しているが、この機器ガイド部４は、下端から上端に向かって後側に傾斜するガイド面とその両側にそれぞれ形成されたガイド壁とからなっている。
【０００５】
また、前記台本体２のベース部３内の機器接続回路には、この機器接続回路を図示しないパソコンに接続するためのケーブル６が接続されており、このケーブル６は、前記ベース部３の後端から外部に導出されている。
【０００６】
この接続台１は、一端に前記機器接続用コネクタ５に接続される機器側コネクタ８が設けられた小型情報機器７を、その機器側コネクタ８を前記機器接続用コネクタ５に接続させて支持するものであり、前記小型情報機器７は、手作業により、前記機器側コネクタ８を下に向け、機器背面および両側面を前記機器ガイド部４により案内させて上方から下げ降され、その機器側コネクタ８を前記機器接続用コネクタ５に差し込み接続されて前記接続台１に支持される。
【０００７】
【発明が解決しようとする課題】
しかし、上記従来の接続台１は、前記小型情報機器７が、その背面の上縁側が前記機器ガイド部４から浮き上がった姿勢で下げ降されたときに、前記機器接続用コネクタ５および機器側コネクタ８を変形させてしまうことがあった。
【０００８】
すなわち、前記接続台１は、小型情報機器７がその背面を前記機器ガイド部４に平行に当接させて下げ降されることを前提として設計されており、そのために、前記小型情報機器７の機器側コネクタ８は、前記機器接続用コネクタ５への挿脱方向に沿った中心軸線８ａを機器背面の長さ方向と平行にして設けられ、前記接続台１の機器接続用コネクタ５は、前記機器側コネクタ８の挿脱方向に沿った中心軸線５ａを前記機器ガイド部４の機器背面を案内するガイド面と実質的に同じ角度で傾斜させるとともに、前記機器側コネクタ８の先端が、前記機器ガイド部４で案内されて下げ降される前記小型情報機器７の機器側コネクタ８の先端に対向するようにして前記台本体２のベース部３内に固定されている。
【０００９】
そのため、小型情報機器７が図７のように機器背面を前記機器ガイド部４に平行に当接させた正規の姿勢、つまり機器側コネクタ８の中心軸線８ａが機器接続用コネクタ５の中心軸線５ａに一致した状態で下げ降されたときは、前記機器側コネクタ８が前記機器接続用コネクタ５に無理なく差し込み接続される。
【００１０】
しかし、前記接続台１への小型情報機器７の下げ降しは手作業により行なわれるため、前記小型情報機器７は、前記正規の姿勢で下げ降されるとは限らず、背面の下端部だけが前記機器ガイド部４で案内され、前記背面の上端側は前記機器ガイド部４から浮き上がった姿勢で下げ降されることもある。図８はそのときの状態を示している。
【００１１】
このときも、小型情報機器７は、その下端部の背面を前記機器ガイド部４で案内されて、前記機器側コネクタ８の先端が前記接続台１の機器接続用コネクタ５の先端に対向する状態で下げ降される。
【００１２】
しかし、前記小型情報機器７が、その背面の上端側が前記機器ガイド部４から浮き上がった姿勢のまま下げ降されると、図８のように、前記機器側コネクタ８が、その中心軸線８ａが機器接続用コネクタ５の中心軸線５ａに対して斜めに傾いた状態で前記機器接続用コネクタ５に無理に押し付けられるため、前記機器接続用コネクタ５および機器側コネクタ８にその中心軸線５ａ，８ａに対して斜めにずれた方向の力が加わり、前記コネクタ５，７が変形したり破損したりして接続不能となってしまう。
【００１３】
この発明は、小型情報機器が、その背面の上端側が機器ガイド部から浮き上がった姿勢で下げ降されたときも、機器側コネクタを無理なく機器接続用コネクタに接続させることができる小型情報機器の接続台を提供することを目的としたものである。
【００１４】
【課題を解決するための手段】
この発明の小型情報機器の接続台は、ベース部上に、下端から上端に向かって後側に傾斜するガイド面とその両側にそれぞれ形成されたガイド壁とからなる機器ガイド部が設けられ、前記ベース部の上面の前記ガイド面の前側の部分にコネクタ突き出し口が設けられた台本体の前記ベース部内に、主配線基板と、前記主配線基板にフレキシブルリードを介して接続された副配線基板とが設けられ、前記副配線基板が、前記コネクタ突き出し口の下側に、前記ベース部の幅方向に沿わせて、前記ベース部の内底面に対して立ち上がった姿勢で配置されるとともに、その下縁を前記ベース部の内底面上に設けられた副配線基板受け部により前後方向に移動可能に抱えられ、上縁側を弾性部材の弾力により、前記ベース部内に前記コネクタ突き出し口の後側縁に沿わせて設けられたストッパに押圧されて前後方向に傾動可能に支持されており、前記機器接続用コネクタが、その先端部を前記コネクタ突き出し口から前記ベース部上に突出させて前記副配線基板の前面に固定されて前記先端部が前記ガイド面に対して接離する方向に傾動可能に設けられ、この機器接続用コネクタが前記弾性部材の弾力により、その先端が、前記機器側コネクタを下に向け背面および両側面を前記ガイド面およびガイド壁により案内されて上方から下げ降される前記小型情報機器の前記機器側コネクタの先端に対向する姿勢に保持されていることを特徴とするものである。
【００１５】
この接続台は、小型情報機器を、その機器側コネクタを前記機器接続用コネクタに接続させて支持するものであり、前記小型情報機器は、手作業により、前記機器側コネクタを下に向け、背面および両側面を前記機器ガイド部のガイド面およびガイド壁により案内させて上方から下げ降される。
【００１６】
一方、前記接続台のベース部内に、先端部を前記ベース部上に突出させて傾動可能に設けられた前記機器接続用コネクタは、前記弾性部材の弾力により、この機器接続用コネクタの先端が、上記のように背面および両側面を前記機器ガイド部のガイド面およびガイド壁により案内されて下げ降される前記小型情報機器の機器側コネクタの先端に対向する姿勢に保持されており、したがって、前記小型情報機器がその背面を前記機器ガイド部のガイド面に平行に当接させた正規の姿勢で下げ降されたときも、前記小型情報機器がその背面の上端側が前記機器ガイド部のガイド面から浮き上がった姿勢で下げ降されたときも、前記小型情報機器の機器側コネクタの先端を、前記機器接続用コネクタの先端に係合させることができる。
【００１７】
そして、前記機器接続用コネクタは、前記機器側コネクタの先端が前記ガイド面に対して接離する方向に傾動可能に設けられているため、前記小型情報機器が前記正規の姿勢で下げ降されたときも、前記小型情報機器がその背面の上端側が前記ガイド面から浮き上がった姿勢で下げ降されたときも、その下げ降しに伴う前記機器接続用コネクタへの前記機器側コネクタの係合に追従して、前記機器接続用コネクタが、その中心軸線が前記機器側コネクタの中心軸線に一致するように傾動する。
【００１８】
そのため、この接続台によれば、前記小型情報機器が、その背面の上端側が前記機器ガイド部から浮き上がった姿勢で下げ降されたときも、前記機器側コネクタを無理なく前記機器接続用コネクタに接続させることができる。
【００１９】
この発明の接続台は、前記機器ガイド部の両側のガイド壁の下端付近の内側面に、上方から下げ降される前記小型情報機器の下端部を、その下端部の背面を前記機器ガイド部のガイド面に押し付けるように誘導する誘導突起を設けた構成とするのが望ましい。
【００２１】
また、この接続台においては、前記ストッパを、前記台本体の機器ガイド部のガイド面と実質的に同じ角度で傾斜する板状ストッパとし、前記機器接続用コネクタを、前記副配線基板の前面に、この副配線基板の後面が前記板状ストッパに対して平行に接面したときに、背面および両側面を前記機器ガイド部のガイド面およびガイド壁により案内されて下げ降される前記小型情報機器の機器側コネクタの先端に前記機器接続用コネクタの先端が対向するように固定するのが好ましい。
【００２２】
前記副配線基板を前記ストッパに押圧する弾性部材は、コイルばねが望ましく、その場合は、前記コイルばねを、前記台本体のベース部の前面板に前記ベース部内に突出させて設けられた筒状部内に挿入するとともに、その一端を前記副配線基板の前面に当接させ、他端を前記ベース部の前面に装着された前面カバーにより受け止めさせて、これらの間に圧縮状態で挟持させるのが好ましい。
【００２３】
また、上記のように前記副配線基板に機器接続用コネクタを固定する場合は、前記台本体のベース部の内底面上に、前記副配線基板の前面に固定された前記機器接続用コネクタの基端を前後方向に移動可能に支持する凸部を設けるのが好ましい。
【００２４】
【発明の実施の形態】
図１〜図６はこの発明の一実施例を示しており、図１は接続台と前記接続台に支持される小型情報機器の斜視図、図２は前記接続台の断面図、図３および図４は図２のIII―III線およびIV―IV線に沿う断面図、図５および図６はそれぞれ前記接続台の機器接続用コネクタに前記小型情報機器の機器側コネクタが接続される状態を示す接続前と接続後の拡大断面図である。
【００２５】
まず、この発明の接続台１０に支持される小型情報機器４０について説明すると、この小型情報機器４０は、例えば携帯端末機器であり、その前面にタッチ入力部を兼ねる表示部４１と複数の操作ボタン４２が設けられるとともに、一端、例えば下端に、差し込み接続型の機器側コネクタ４３が設けられ、さらに両側面の下端部にそれぞれ前記接続台１０の誘導突起２０に係合する誘導突起係合溝４７が設けられている。
【００２６】
前記機器側コネクタ４３は、薄型の多端子コネクタであり、図５および図６にその断面を示したように、偏平な角筒状の外筒４４と、前記外筒４４の基端に嵌着された絶縁基板４５と、前記絶縁基板４５に基端部を貫通固定され、前記外筒４４内にその幅方向に沿わせて一列に並べて設けられた複数のピン状端子４６とからなっている。
【００２７】
この機器側コネクタ４３は、前記小型情報機器４０の下端部内に、前記複数のピン状端子４６の後端を前記小型情報機器４０内の電子回路に接続するとともに、後述する機器接続用コネクタへの挿脱方向（ピン状端子４６の長さ方向）に沿った中心軸線４３ａを前記小型情報機器４０の背面の長さ方向と平行にして、前記外筒４４の先端の開口面が前記小型情報機器４０の下端面と略面一になるように固定されている。
【００２８】
また、前記小型情報機器４０の両側面の下端部にそれぞれ設けられた誘導突起係合溝４７は、前記小型情報機器４０の背面の長さ方向と平行に、且つその下端を前記小型情報機器４０の下端面に開放させて形成されている。
【００２９】
次に、この発明の接続台１０の実施例を説明すると、この接続台１０は、図１〜図６に示したように、ベース部１２とその上に一体に形成された機器ガイド部１７とからなる台本体１１の前記ベース部１２内に、前記小型情報機器４０の機器側コネクタ４３を接続するための差し込み接続型の機器接続用コネクタ２２を、前記機器側コネクタ４３の先端部を前記ベース部１２上に突出させて傾動可能に設けた構成となっている。
【００３０】
前記台本体１１は樹脂成形品であり、そのベース部１２は、底面が開放する中空なケース状に形成され、その底面を、ビス止めにより着脱可能に設けられた底板１３により閉塞されている。
【００３１】
このベース部１２は、前面カバー１４を備えており、この前面カバー１４は、図４に示したように、その背面の両側部に一体に突設された一対の掛止爪１５を前記ベース部１２の前面板に設けられた掛止爪挿入孔１６の縁部に掛止することにより前記ベース部１２の前面に着脱可能に装着されている。
【００３２】
また、前記ベース部１２の上に形成された機器ガイド部１７は、前記ベース部１２の幅方向に沿った面で、且つ、下端から上端に向かって後側に、前記ベース部１２の底面（底板１３面）の垂線に対して３０°程度の傾き角で傾斜するガイド面１８と、前記ガイド面１８の両側にそれぞれ形成されたガイド壁１９とからなっており、接続台１０の上方から前記機器側コネクタ４３を下に向けて下げ降される前記小型情報機器４０の背面を前記ガイド面１８により案内し、前記小型情報機器４０の両側面を前記両側のガイド壁１９により案内する。
【００３３】
そして、この機器ガイド部１７の両側のガイド壁１９の下端付近の内側面にはそれぞれ、上記のように背面および両側面を前記ガイド面１８およびガイド壁１９により案内されて上方から下げ降される前記小型情報機器４０の下端部を、その下端部の背面を前記ガイド面１８に押し付けるように誘導する誘導突起２０が設けられている。
【００３４】
さらに、この台本体１１の前記ベース部１２の上面には、前記ガイド面１９の前側の部分に、前記ベース部１２の幅方向（機器ガイド部１７のガイド面１９の幅方向と平行な方向）に沿った長孔状のコネクタ突き出し口２１が穿設されている。
【００３５】
一方、前記機器接続用コネクタ２２は、偏平な角筒状をなし、先端側が前記機器側コネクタ４３の外筒４４内に略密に嵌入する外形に形成されたコネクタ筒２３内に、その幅方向に沿わせて、前記機器側コネクタ４３のピン状端子４６に対してその両側から接触する複数の端子２４（図４参照）が設けられた薄型の多端子コネクタであり、この機器接続用コネクタ２２は、前記台本体１１のベース部１２内に、その先端部を前記コネクタ突き出し口２１から前記ベース部１２上に突出させて、前記先端部が前記機器ガイド部１７のガイド面１８に対して接離する方向に傾動可能に設けられている。
【００３６】
また、前記ベース部１２内には、図示しないパソコンに前記小型情報機器４０を電気的に接続するための機器接続回路と前記小型情報機器４０への充電回路が形成された主配線基板２５と、前記機器接続回路および充電回路と前記機器接続用コネクタ２２との接続回路が形成された副配線基板２６とが設けられている。
【００３７】
これらの配線基板２５，２６のうち、主配線基板２５は、前記ベース部１２内の前記機器ガイド部１７の下端よりも後側のスペースに、ビス止めにより固定されており、この主配線基板２５に、前記機器接続回路を前記パソコンに接続するためのケーブル２７が接続されるとともに、前記充電回路を外部電源接続用ＡＣアダプタに接続するためのアダプタ接続ジャック（図示せず）が取付けられている。
【００３８】
なお、前記ケーブル２７は、前記ベース部１２の後面に設けられたケーブル導出口から外部に導出されている、また、前記ベース部１２の後面には、図示しないが、前記ＡＣアダプタの一端に設けられたプラグの挿入口が設けられており、前記アダプタ接続ジャックは、前記プラグ挿入口に対向させて前記主配線基板２５の後縁部に固定されている。
【００３９】
また、前記副配線基板２６は、前記ベース部１２のコネクタ突き出し口２１が設けられた部分における内部高さと同程度の幅と、前記ベース部１２の内幅よりも若干短い長さを有する横長基板であり、この副配線基板２６は、前記主配線基板２５にフレキシブルリード２８を介して接続され、前記ベース部１２の上面に設けられた前記コネクタ突き出し口２１の下側に、前記ベース部１２の幅方向（機器ガイド部１７のガイド面１９の幅方向と平行な方向）に沿わせて、前記ベース部１２の内底面（底板１３の内面）に対して立ち上がった姿勢で配置されている。
【００４０】
一方、前記ベース部１２内には、その内底面上、つまり前記底板１３の内面上に、前記副配線基板２６の両端側の下縁を前後方向に移動可能に抱える左右一対の副配線基板受け部２９が、前記コネクタ突き出し口２１の前側縁より若干前方に位置させて設けられるとともに、前記ベース部１２の上面板部の内面に、前記副配線基板２６の両端部の上縁側を前後方向に移動可能に抱える左右一対の副配線基板抱え部３０が、前記コネクタ突き出し口２１の後側縁に沿わせて設けられている。
【００４１】
前記左右一対の副配線基板受け部２９はそれぞれ、前記底板１３の内面上に、前記副配線基板２６の板厚よりも若干大きい間隔をおいて一体に突設された前後一対の突起２９ａ，２９ｂにより構成されており、これらの突起２９ａ，２９ｂのうち、後側の突起２９ｂの前側縁は、下端から上端に向かって後側に傾斜した形状に形成されている。
【００４２】
また、前記左右一対の副配線基板抱え部３０はそれぞれ、前記ベース部１２の上面板部の内面に一体に突設された、前記副配線基板２６の板厚よりも若干大きい内幅を有するＵ形突起からなっている。
【００４３】
このＵ形突起からなる副配線基板抱え部３０の前側と後側の板部はそれぞれ、前記台本体１１の機器ガイド部１７のガイド面１８と実質的に同じ角度で傾斜しており、そのうちの後側の板部が、前記副配線基板２６の上縁を後方から受止める板状ストッパ３１とされている。
【００４４】
そして、前記副配線基板２６は、その両端側の下端縁をそれぞれ、前記ベース部１２の内底面上に突設された前後一対の突起２９ａ，２９ｂの間の副配線基板受け部２９に前後方向に移動可能に挿入され、両端部の上端側をそれぞれ、前記ベース部１２の上面板部の内面に突設されたＵ形突起からなる副配線基板抱え部３０内に前後方向に移動可能に挿入されて、前記ベース部１２の内底面（底板１３の内面）に対し、下縁から上縁に向かって後側に傾いた状態で立ち上がった姿勢で配置されている。
【００４５】
さらに、前記ベース部１２内には、前記左右一対の副配線基板抱え部３０の付近にそれぞれ対応させて、前記副配線基板２６の上縁側を前記板状ストッパ（副配線基板抱え部３０の後側板部）３１に押圧する弾性部材３２が設けられており、前記副配線基板２６は、その下縁を前記副配線基板受け部２９により前後方向に移動可能に抱えられるとともに、上縁側を前記弾性部材３２の弾力により前記板状ストッパ３１に押圧されて、前後方向に傾動可能に支持されている。
【００４６】
なお、前記前記弾性部材３２は、前記副配線基板２６に外部から荷重が加わっていないときに、この副配線基板２６を、前記板状ストッパ３１に対して平行に当接させた姿勢に保持する程度の極く小さい押圧力を有していれば充分であり、そのために、この実施例では、前記弾性部材３２として、軽荷重のコイルばねを用いている。以下、この弾性部材３２をコイルばねと言う。
【００４７】
このコイルばね３２は、前記ベース部１２の前面板に前記ベース部１２内に突出させて設けられた筒状部３３内に挿入されるとともに、その一端を前記副配線基板２６の前面に当接され、他端を前記ベース部１２の前面に装着された前面カバー１４により受け止められて、これらの間に圧縮状態で挟持されている。
【００４８】
なお、この実施例では、前記前面カバー１４の内面を前記コイルばね３２の受け面としているが、前記前面カバー１４の内面に、筒状部３３内に入り込むピン状の突起を一体に突設し、その突起の先端で前記コイルばね３２を受け止めるようにしてもよい。
【００４９】
そして、前記機器接続用コネクタ２２は、その複数の端子２４の配線基板接続端（図示せず）を前記副配線基板２６上の配線にハンダ付けすることにより、前記副配線基板２６の前面に、前記機器側コネクタ４３の挿脱方向に沿った中心軸線２２ａを前記副配線基板２６の基板面と平行にするとともに、前記副配線基板２６の後面が前記板状ストッパ３１に対して平行に接面したときに、前記誘導突起２０により下端部の背面を前記ガイド面１８に押し付けられて下げ降される小型情報機器４０の機器側コネクタ４３の先端に前記機器接続用コネクタの先端が対向するように固定されている。
【００５０】
すなわち、前記機器接続用コネクタ２２は、前記ベース部１２内に前後方向に傾動可能に支持された前記副配線基板２６の前面に固定され、この副配線基板２６と一体に、コネクタ先端部が前記機器ガイド部１７のガイド面１８に対して接離する方向に傾動するように設けられている。
【００５１】
また、前記副配線基板２６の下縁には、この副配線基板２６の前面に固定された機器接続用コネクタ２２の両側部にそれぞれ対応させて、前記機器接続用コネクタ２２の基端の高さよりも高い切欠部２６ａが設けられており、前記台本体１１のベース部１２の内底面上（底板１３の内面上）には、前記副配線基板２６の切欠部２６ａ内に対応させて、前記機器接続用コネクタ２２の基端を前後方向に移動可能に支持する凸部（以下、コネクタ支持凸部と言う）３４が一体に突設されている。
【００５２】
この接続台１０は、上述した小型情報機器４０を、その機器側コネクタ４３を前記機器接続用コネクタ２２に接続させて支持するものであり、前記小型情報機器４０は、手作業により、その機器側コネクタ４３を下に向け、背面および両側面を前記機器ガイド部１７のガイド面１８およびガイド壁１９により案内させて上方から下げ降され、前記機器側コネクタ４３を前記機器接続用コネクタ２２に差し込み接続されて前記接続台１０に支持される。
【００５３】
その場合、小型情報機器４０は、その下端部の両側面に設けられた誘導突起係合溝４７を、前記機器ガイド部１７のガイド壁１９の下端付近に設けられた誘導突起２０に係合させることにより、前記誘導突起２０によって強制的に、機器背面を前記機器ガイド部１７のガイド面１８に押し付けられるように誘導されるため、この小型情報機器４０は、機器背面が前記ガイド面１８に平行に当接した正規の姿勢でも、また機器背面の上端側が前記ガイド面１８から浮き上がった姿勢でも、前記ガイド面１８に対する前記機器側コネクタ４３の先端位置を略一定に保ちながら下げ降される。
【００５４】
一方、前記接続台１０のベース部１２内に、先端部を前記ベース部１２上に突出させて傾動可能に設けられた前記機器接続用コネクタ２２は、前記コイルばね３２の弾力により、この機器接続用コネクタ２２の先端が、下端部の背面を前記ガイド面１８に押し付けられて下げ降される前記小型情報機器４０の機器側コネクタ４３の先端に対向する姿勢に保持されている。
【００５５】
そのため、前記小型情報機器４０がその背面を前記ガイド面１８に平行に当接させた正規の姿勢で下げ降されたときも、前記小型情報機器４０がその背面の上端側が前記ガイド面１８から浮き上がった姿勢で下げ降されたときも、前記小型情報機器４０の機器側コネクタ４３の先端を、前記機器接続用コネクタ２２の先端に係合させることができる。
【００５６】
そして、前記機器接続用コネクタ２２は、前記機器側コネクタ４３の先端が前記ガイド面３０に対して接離する方向に傾動可能に設けられているため、前記小型情報機器４０が前記正規の姿勢で下げ降されたときも、前記小型情報機器４０がその背面の上端側が前記ガイド面３０から浮き上がった姿勢で下げ降されたときも、その下げ降しに伴う前記機器接続用コネクタ２２への前記機器側コネクタ４３の係合に追従して、前記機器接続用コネクタ２２が、その中心軸線２２ａが前記機器側コネクタ４３の中心軸線４３ａに一致するように傾動する。
【００５７】
そのため、この接続台１０によれば、前記小型情報機器４０が、その背面の上端側が前記機器ガイド部１７のガイド面１８から浮き上がった姿勢で下げ降されたときも、前記機器側コネクタ４３を無理なく前記機器接続用コネクタ２２に接続させることができる。
【００５８】
すなわち、図５は、前記小型情報機器４０がその背面を前記ガイド面１８に平行に当接させた正規の姿勢で下げ降されたときの前記機器接続用コネクタ２２に前記機器側コネクタ４３が接続される状態を示している。
【００５９】
このように正規の姿勢で小型情報機器４０が下げ降されたときは、図５の（ａ）のように、前記機器側コネクタ４３が、その中心軸線４３ａが機器接続用コネクタ２２の中心軸線２２ａに一致した状態で前記機器接続用コネクタ２２に係合し、図５の（ｂ）のように無理なく前記機器接続用コネクタ２２に差し込み接続される。
【００６０】
また、図６は、前記小型情報機器４０が、その背面の上端側が前記ガイド面１８から浮き上がった姿勢で下げ降されたときの前記機器接続用コネクタ２２に前記機器側コネクタ４３が接続される状態を示している。
【００６１】
このような姿勢で小型情報機器４０が下げ降されたときは、図６の（ａ）のように、前記機器側コネクタ４３が、その中心軸線４３ａが機器接続用コネクタ２２の中心軸線２２ａに対して斜めに傾いた状態で前記機器接続用コネクタ２２に係合する。
【００６２】
そのため、前記機器側コネクタ４３の先端が前記機器接続用コネクタ２２の先端に係合した後は、さらに前記小型情報機器４０が下げ降されるのに伴って、前記機器接続用コネクタ２２および機器側コネクタ４３にその中心軸線２２ａ，４３ａに対して斜めにずれた方向の力が加わるが、その力により前記機器接続用コネクタ２２が前記コイルばね３２を圧縮させながら傾動し、この機器接続用コネクタ２２の中心軸線２２ａが前記機器側コネクタ４３の中心軸線４３ａに一致するように姿勢を変える。
【００６３】
そのため、前記小型情報機器４０が、その背面の上端側が前記ガイド面１８から浮き上がった姿勢で下げ降されたときも、前記機器側コネクタ４３を、その中心軸線４３ａに機器接続用コネクタ２２の中心軸線２２ａを一致させた状態で、図６の（ｂ）のように前記機器接続用コネクタ２２に差し込み接続させることができる。
【００６４】
なお、前記機器側コネクタ４３を前記機器接続用コネクタ２２に差し込み接続させて前記接続台１０に支持された前記小型情報機器４０は、この小型情報機器４０から手が放されることにより、自重で、図５の（ｂ）のように機器背面が前記ガイド面１８に平行に当接する状態になる。
【００６５】
したがって、この接続台１０によれば、前記小型情報機器４０が、その背面の上端側が前記機器ガイド部１７のガイド面１８から浮き上がった姿勢で下げ降されたときも、前記機器側コネクタ４３を無理なく前記機器接続用コネクタ２２に接続させることができる。
【００６６】
なお、前記機器接続用コネクタ２２は前記副配線基板２６の前面に固定されており、前記前記副配線基板２６の下縁が、前記ベース部１２の内底面上に設けられた副配線基板受け部２９に前後方向に移動可能に挿入されて前記ベース部１２の内底面上に支持されるとともに、前記機器接続用コネクタ２２の基端が、前記ベース部１２の内底面上に設けられたコネクタ支持凸部３４により前後方向に移動可能に支持されているため、上記のように前記接続台１０に小型情報機器４０を支持させるときに、前記機器接続用コネクタ２２が前記ベース部１２内に沈み込むことはない。
【００６７】
また、前記接続台１０に支持された前記小型情報機器４０は、図示しないパソコンとの情報交換や、小型情報機器４０への充電を行なった後に前記接続台１０から取り出されるが、そのときも、前記機器接続用コネクタ２２が上記のように傾動するため、前記小型情報機器４０が、その背面の上端側が前記機器ガイド部１７のガイド面１８から浮き上がった姿勢で持ち上げられたときでも、前記機器側コネクタ４３を無理なく前記機器接続用コネクタ２２から抜き外させることができる。
【００６８】
なお、前記機器接続用コネクタ２２は前記副配線基板２６の前面に固定されており、前記前記副配線基板２６の上縁が、前記ベース部１２の上面板部の内面に設けられた副配線基板抱え部３０内に前後方向に移動可能に挿入されているため、前記接続台１０から前記小型情報機器４０を取り出すときに、前記機器接続用コネクタ２２が前記コネクタ突き出し口２１から前記ベース部１２外に抜け出すことはない。
【００６９】
上記のように前記接続台１０に前記小型情報機器４０を支持させるとき、および前記接続台１０から前記小型情報機器４０を取り出すときの前記ガイド面１８に対する機器背面の傾き角は、前記小型情報機器４０側の誘導突起係合溝４７と接続台１０側の誘導突起２０との摺動面間の隙間や前記誘導突起２０の長さによって決まるが、その角度は最大でも４°〜５°程度であり、したがって、前記機器接続用コネクタ２２は、前記ガイド面１８に対して前方に１０°程度の傾き角で傾動できれば充分である。
【００７０】
しかも、この実施例の接続台１０は、前記台本体１１のベース部１２内に、主配線基板２５と、前記主配線基板２５にフレキシブルリード２８を介して接続された副配線基板２６とを設け、前記副配線基板２６を、前記ベース部１２の上面に設けられたコネクタ突き出し口２１の下側に、前記ベース部１２の幅方向に沿わせて、前記ベース部１２の内底面に対して立ち上がった姿勢で配置するとともに、その下縁を前記ベース部１２の内底面上に設けられた副配線基板受け部２９により前後方向に移動可能に抱えさせ、上縁側を前記コイルばね３２の弾力により、前記ベース部１２内に前記コネクタ突き出し口２１の後側縁に沿わせて設けられたストッパ３１に押圧させて前後方向に傾動可能に支持し、この副配線基板２６の前面に前記機器接続用コネクタ２２を固定した構成のものであるため、前記副配線基板２６を利用して前記機器接続用コネクタ２２を支持することができるとともに、前記機器接続用コネクタ２２を、その傾動中心を一点に規定することなく自由に傾動させ、前記小型情報機器４０の様々な姿勢変化に対応させることができる。
【００７１】
さらに、上記実施例では、前記ストッパ３１を、前記機器ガイド部１７のガイド面１８と実質的に同じ角度で傾斜する板状ストッパとし、前記機器接続用コネクタ２２を、前記副配線基板２６の前面に、この副配線基板２６の後面が前記板状ストッパ３１に対して平行に接面したときに、前記誘導突起２０により下端部の背面を前記ガイド面１８に押し付けられて下げ降される小型情報機器４０の機器側コネクタ４３の先端に前記機器接続用コネクタ２２の先端が対向するように固定しているため、前記機器接続用コネクタ２２を、外部から荷重が加わっていないときに、この機器接続用コネクタ２２の先端が上方から下げ降される小型情報機器４０の機器側コネクタ４３の先端に対向する姿勢に保持することができる。
【００７２】
また、上記実施例では、前記副配線基板２６を前記ストッパ３１に押圧する弾性部材としてコイルばね３２を用い、前記コイルばね３２を、前記台本体１１のベース部１２の前面板に前記ベース部１２内に突出させて設けられた筒状部３３内に挿入するとともに、その一端を前記副配線基板２６の前面に当接させ、他端を前記ベース部１２の前面に装着された前面カバー１４により受け止めさせて、これらの間に圧縮状態で挟持させているため、前記ベース部１２の前面側から前記コイルばね３２を前記筒状部３３内に挿入し、その後に前記ベース部１２の前面に前記前面カバー１４を装着することにより、前記副配線基板２６を前記コイルばね３２で押圧させることができ、したがって、接続台１０の組立てを容易にすることができる。
【００７３】
さらに、この実施例では、前記ベース部１２の内底面上に、前記副配線基板２６の前面に固定された前記機器接続用コネクタ２２の基端を前後方向に移動可能に支持するコネクタ支持凸部３４を設けているため、前記接続台１０に前記小型情報機器４０を支持させるときに、前記副配線基板２６に対する機器側コネクタ４３の固定部に大きな負荷がかからないようにすることができる。
【００７４】
すなわち、上記のように前記接続台１０に小型情報機器４０を支持させる場合、前記機器接続用コネクタ２２に前記機器側コネクタ４３が差し込み接続される過程では、前記小型情報機器４０の下げ降し力が前記機器接続用コネクタ２２と機器側コネクタ４３との差し込み方向への相対的な移動により吸収されるため、前記副配線基板２６に対する機器接続用コネクタ２２の固定部（ハンダ付け部）に大きな負荷がかかることはないが、前記機器接続用コネクタ２２に前記機器側コネクタ４３が完全に差し込み接続された後も前記小型情報機器４０がさらに下げ降されると、その下げ降し力が、前記副配線基板２６に対する前記機器接続用コネクタ２２の固定部に集中して加わるようになる。
【００７５】
しかし、上記実施例では、前記ベース部１２の内底面上に、前記機器接続用コネクタ２２の基端を前後方向に移動可能に支持するコネクタ支持凸部３４を設けているため、前記機器接続用コネクタ２２に前記機器側コネクタ４３が完全に差し込み接続された後の小型情報機器４０の下げ降し力を、前記機器接続用コネクタ２２を介して前記凸部３４に受けさせることができ、したがって、前記副配線基板２６に対する機器接続用コネクタ２２の固定部に大きな負荷がかからないようにし、前記副配線基板２６からの機器接続用コネクタ２２の脱落を防ぐことができる。
【００７６】
ただし、前記機器接続用コネクタ２２は、前記副配線基板２６へのハンダ付けに加えてビス止め等の固定手段を併用することにより、前記副配線基板２６に対して高い強度で固定してもよく、その場合は、前記凸部３４を省略し、前記機器接続用コネクタ２２に加わる前記下げ降し力を、前記副配線基板２６を介して前記ベース部１２の内底面に受けさせるようにしてもよい。
【００７７】
なお、このようにする場合、前記機器接続用コネクタ２２は、その中心軸線２２ａを副配線基板２６の基板面と平行にして前記副配線基板２６の前面に固定されているため、前記副配線基板２６に加わる下げ降し力は基板面に沿った方向の力であり、したがって、前記機器接続用コネクタ２２に加わる下げ降し力により前記副配線基板２６が反り変形することはない。
【００７８】
また、前記接続台１０から小型情報機器４０を取り出すときは、前記小型情報機器４０の持ち上げ力が、前記機器接続用コネクタ２２と副配線基板２６とを介して前記ベース部１２の上面板部で受けられるが、このときは、前記機器接続用コネクタ２２と機器側コネクタ４３との抜き出し方向への相対的な移動により吸収され、前記機器接続用コネクタ２２から前記機器側コネクタ４３が完全に抜き出されると、前記機器接続用コネクタ２２に加わる持ち上げ力が０になるため、前記副配線基板２６に対する機器接続用コネクタ２２の固定部に、前記機器接続用コネクタ２２を副配線基板２６から脱落させるような大きな負荷がかかることはない。
【００７９】
なお、上記実施例では、機器ガイド部１７の両側のガイド壁１９の下端付近の内側面に、上方から下げ降される小型情報機器４０の下端部を、その下端部の背面を前記機器ガイド部１７のガイド面１８に押し付けるように誘導する誘導突起２０を設けることにより、前記小型情報機器４０を強制的に、機器背面を前記機器ガイド部１７のガイド面１８に押し付けるように誘導するようにしているが、前記誘導突起２０を省略し、前記小型情報機器４０を手作業により、前記ガイド面１８に対する前記機器側コネクタ４３の先端位置を略一定に保ちながら下げ降させるようにしてもよい。
【００８０】
【発明の効果】
この発明の小型情報機器の接続台は、ベース部上に、下端から上端に向かって後側に傾斜するガイド面とその両側にそれぞれ形成されたガイド壁とからなる機器ガイド部が設けられ、前記ベース部の上面の前記ガイド面の前側の部分にコネクタ突き出し口が設けられた台本体の前記ベース部内に、機器接続用コネクタを、前記機器側コネクタの先端部を前記コネクタ突き出し口から前記ベース部上に突出させて、前記先端部が前記ガイド面に対して接離する方向に傾動可能に設け、この機器接続用コネクタを前記ベース部内に設けられた弾性部材の弾力により、その先端が、機器側コネクタを下に向け背面および両側面を前記ガイド面およびガイド壁により案内されて上方から下げ降される小型情報機器の機器側コネクタの先端に対向する姿勢に保持したものであるため、前記小型情報機器が、その背面の上端側が前記機器ガイド部から浮き上がった姿勢で下げ降されたときも、前記機器側コネクタを無理なく前記機器接続用コネクタに接続させることができる。
しかも、この接続台は、前記ベース部内に、主配線基板と、前記主配線基板にフレキシブルリードを介して接続された副配線基板とを設け、前記副配線基板を、前記ベース部の上面に設けられたコネクタ突き出し口の下側に、前記ベース部の幅方向に沿わせて、前記ベース部の内底面に対して立ち上がった姿勢で配置するとともに、その下縁を前記ベース部の内底面上に設けられた副配線基板受け部により前後方向に移動可能に抱えさせ、上縁側を弾性部材の弾力により、前記ベース部内に前記コネクタ突き出し口の後側縁に沿わせて設けられたストッパに押圧させて前後方向に傾動可能に支持し、この副配線基板の前面に前記機器接続用コネクタを固定しているため、前記副配線基板を利用して前記機器接続用コネクタを支持することができるとともに、前記機器接続用コネクタを、その傾動中心を一点に規定することなく自由に傾動させ、前記小型情報機器の様々な姿勢変化に対応させることができる。
【００８１】
この発明の接続台は、前記機器ガイド部の両側のガイド壁の下端付近の内側面に、上方から下げ降される前記小型情報機器の下端部を、その下端部の背面を前記機器ガイド部のガイド面に押し付けるように誘導する誘導突起を設けた構成とするのが望ましく、このようにすることにより、前記小型情報機器を強制的に、機器背面を前記ガイド面に押し付けるように誘導し、前記小型情報機器を、その背面が前記ガイド面に平行に当接した正規の姿勢でも、また前記背面の上端側が前記ガイド面から浮き上がった姿勢でも、前記ガイド面に対する前記機器側コネクタの先端位置を略一定に保ちながら下げ降させ、前記小型情報機器の機器側コネクタの先端を、前記機器接続用コネクタの先端に係合させることができる。
【００８３】
また、この接続台においては、前記ストッパを、前記台本体の機器ガイド部のガイド面と実質的に同じ角度で傾斜する板状ストッパとし、前記機器接続用コネクタを、前記副配線基板の前面に、この副配線基板の後面が前記板状ストッパに対して平行に接面したときに、背面および両側面を前記機器ガイド部のガイド面およびガイド壁により案内されて下げ降される小型情報機器の機器側コネクタの先端に前記機器接続用コネクタの先端が対向するように固定するのが好ましく、このようにすることにより、前記機器接続用コネクタを、外部から荷重が加わっていないときに、この機器接続用コネクタの先端が上方から下げ降される小型情報機器の機器側コネクタの先端に対向する姿勢に保持することができる。
【００８４】
さらに、この接続台においては、前記副配線基板を前記ストッパに押圧する弾性部材をコイルとし、前記コイルばねを、前記台本体のベース部の前面板に前記ベース部内に突出させて設けられた筒状部内に挿入するとともに、その一端を前記副配線基板の前面に当接させ、他端を前記ベース部の前面に装着された前面カバーにより受け止めさせて、これらの間に圧縮状態で挟持させるのが好ましく、このようにすることにより、前記ベース部の前面側から前記コイルばねを前記筒状部内に挿入し、その後に前記ベース部の前面に前記前面カバーを装着することにより、前記副配線基板２６を前記コイルばね３２で押圧させることができるため、前記接続台の組立てを容易にすることができる。
【００８５】
また、上記のように前記副配線基板に機器接続用コネクタを固定する場合は、前記台本体のベース部の内底面上に、前記副配線基板の前面に固定された前記機器接続用コネクタの基端を前後方向に移動可能に支持する凸部を設けるのが好ましく、このようにすることにより、前記接続台に前記小型情報機器を支持させるときに、前記副配線基板に対する機器側コネクタの固定部に大きな負荷がかからないようにし、前記副配線基板からの前記機器接続用コネクタの脱落を防ぐことができる。
【図面の簡単な説明】
【図１】この発明の一実施例を示す接続台と前記接続台に支持される小型情報機器の斜視図。
【図２】前記接続台の断面。
【図３】図２のIII―III線に沿う断面図。
【図４】図２のIV―IV線に沿う断面図。
【図５】小型情報機器がその背面を機器ガイド部のガイド面に平行に当接させた正規の姿勢で下げ降されたときの機器接続用コネクタに機器側コネクタが接続される状態を示す接続前と接続後の拡大断面図。
【図６】前記小型情報機器がその背面の上端側が前記ガイド面から浮き上がった姿勢で下げ降されたときの前記機器接続用コネクタに前記機器側コネクタが接続される状態を示示す接続前と接続後の拡大断面図。
【図７】従来の接続台の側面図。
【図８】従来の接続台に小型情報機器がその背面の上端側が前記機器ガイド部から浮き上がった姿勢で下げ降されたときの状態を示す図。
【符号の説明】
１０…接続台
１１…台本体
１２…ベース部
１３…底板
１４…前面カバー１４
１７…機器ガイド部
１８…ガイド面
１９…ガイド壁
２０…誘導突起
２１…コネクタ突き出し口
２２…機器接続用コネクタ
２２ａ…中心軸線
２５…主配線基板
２６…副配線基板
２９…副配線基板受け部
２９ａ，２９ｂ…突起
３０…副配線基板抱え部
３１…板状ストッパ
３２…コイルばね（弾性部材）
３３…筒状部
３４…コネクタ支持凸部
４０…小型情報機器
４３…機器側コネクタ
４３ａ…中心軸線
４７…誘導突起係合溝
【図１】
0003662225.tif 000002
【図２】
0003662225.tif 000003
【図３】
0003662225.tif 000004
【図４】
0003662225.tif 000005
【図５】
0003662225.tif 000006
【図６】
0003662225.tif 000007
【図７】
0003662225.tif 000008
【図８】
0003662225.tif 000009